(57)【要約】【課題】３枚以上の戸パネルのうちの中央側戸パネルを閉鎖位置に容易に位置付け可能でありながらも、中央側戸パネルを円滑に移動させ得る引戸装置を提供する。【解決手段】上端部１４が上枠３に設けられたガイド溝５にガイドされ、下端部に下レール８を走行する戸車１３がそれぞれに設けられ引違状に配される３枚以上の戸パネル１０，１０Ａ，１０Ｂと、これら戸パネルのうちの中央側戸パネル１０Ａの上端部に上方側に向けて付勢された状態で突出するように設けられ、かつ前記ガイド溝の溝底５ａを転動する転動体１７と、この転動体が係合するように前記上枠に配され、戸幅方向に沿って両方向に移動する前記中央側戸パネルの移動を抑制して該中央側戸パネルを閉鎖位置に位置付ける受け部材２０と、を備えており、前記転動体は、前記中央側戸パネルの戸幅方向一端部に設けられた引手１１の概ね直上となる上端部に位置するように設けられている。【選択図】図１
2018016945.tif 000002
【特許請求の範囲】
【請求項１】
上端部が上枠に設けられたガイド溝にガイドされ、下端部に下レールを走行する戸車がそれぞれに設けられ引違状に配される３枚以上の戸パネルと、
これら戸パネルのうちの中央側戸パネルの上端部に上方側に向けて付勢された状態で突出するように設けられ、かつ前記ガイド溝の溝底を転動する転動体と、
この転動体が係合するように前記上枠に配され、戸幅方向に沿って両方向に移動する前記中央側戸パネルの移動を抑制して該中央側戸パネルを閉鎖位置に位置付ける受け部材と、を備えており、
前記転動体は、前記中央側戸パネルの戸幅方向一端部に設けられた引手の概ね直上となる上端部に位置するように設けられていることを特徴とする引戸装置。
【請求項２】
請求項１において、
前記中央側戸パネルが建て付けられた状態で、前記受け部材に対する前記転動体の係合力を調整可能とする調整機構を備えていることを特徴とする引戸装置。
【請求項３】
請求項１または２において、
前記受け部材には、前記転動体の上側部位を受け入れる受凹部が下方側に向けて開口するように設けられ、該受凹部の戸幅方向に沿う方向の両側を区画する内壁のうちの一方が前記転動体の外周面に応じた凹湾曲面状とされ、他方が垂直面状とされていることを特徴とする引戸装置。
【請求項４】
請求項１または２において、
前記受け部材には、前記転動体の上側部位を受け入れる受凹部が下方側に向けて開口するように設けられ、該受凹部の戸幅方向に沿う方向の両側を区画する両内壁がそれぞれ前記転動体の外周面に応じた凹湾曲面状とされていることを特徴とする引戸装置。
【発明の詳細な説明】
【技術分野】
【０００１】
本発明は、引戸装置に関する。
【背景技術】
【０００２】
従来より、引違状に配される３枚以上の戸パネルによって開口部を開閉する引戸装置が知られている。このような引戸装置では、戸厚方向両外方側の戸パネルは、対応する各縦枠に当接されて閉鎖位置に位置付け可能であるが、中央側の戸パネルを閉鎖位置に位置付け難いという問題があった。
例えば、下記特許文献１には、鴨居の溝の縦枠に近い箇所に円弧状に曲げられた部分を有する板バネを設け、建具の上面に板バネが嵌合する嵌合部を設けた引き戸構造体が開示されている。
【先行技術文献】
【特許文献】
【０００３】
【特許文献１】特開２０００−３３７０１９号公報
【発明の概要】
【発明が解決しようとする課題】
【０００４】
しかしながら、上記特許文献１に記載されたような引き戸構造体では、引戸を開放させる際に、嵌合部に嵌合した板バネによって引戸の戸尻側が浮き上がり易くなることが考えられた。このような問題は、３枚以上の戸パネルを備えたものでは、各戸パネルの戸幅寸法が比較的に小さくなることから特に顕著となることが考えられる。
【０００５】
本発明は、上記実情に鑑みてなされたものであり、３枚以上の戸パネルのうちの中央側戸パネルを閉鎖位置に容易に位置付け可能でありながらも、中央側戸パネルを円滑に移動させ得る引戸装置を提供することを目的としている。
【課題を解決するための手段】
【０００６】
上記目的を達成するために、本発明に係る引戸装置は、上端部が上枠に設けられたガイド溝にガイドされ、下端部に下レールを走行する戸車がそれぞれに設けられ引違状に配される３枚以上の戸パネルと、これら戸パネルのうちの中央側戸パネルの上端部に上方側に向けて付勢された状態で突出するように設けられ、かつ前記ガイド溝の溝底を転動する転動体と、この転動体が係合するように前記上枠に配され、戸幅方向に沿って両方向に移動する前記中央側戸パネルの移動を抑制して該中央側戸パネルを閉鎖位置に位置付ける受け部材と、を備えており、前記転動体は、前記中央側戸パネルの戸幅方向一端部に設けられた引手の概ね直上となる上端部に位置するように設けられていることを特徴とする。
【発明の効果】
【０００７】
本発明に係る引戸装置は、上述のような構成としたことで、３枚以上の戸パネルのうちの中央側戸パネルを閉鎖位置に容易に位置付け可能でありながらも、中央側戸パネルを円滑に移動させることができる。
【図面の簡単な説明】
【０００８】
【図１】（ａ）〜（ｃ）は、本発明の一実施形態に係る引戸装置の一例を模式的に示し、（ａ）は、概略正面図、（ｂ）、（ｃ）は、（ａ）におけるＸ−Ｘ線矢視に対応させた一部破断概略横断面図である。
【図２】図１（ｃ）におけるＹ−Ｙ線矢視に対応させた一部破断概略縦断面図である。
【図３】（ａ）、（ｂ）は、図１（ａ）におけるＺ部に対応させた一部破断概略正面図である。
【図４】同引戸装置を模式的に示す一部破断概略正面図である。
【図５】（ａ）、（ｂ）は、本発明の他の実施形態に係る引戸装置の一例を模式的に示し、図３（ａ）、（ｂ）にそれぞれ対応させた一部破断概略正面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係る引戸装置を施工した状態を基準として上下方向等の方向を説明する。
【００１０】
図１〜図４は、第１実施形態に係る引戸装置の一例を模式的に示す図である。
本実施形態に係る引戸装置１は、図１及び図２に示すように、上端部１４，１４，１４が上枠３に設けられたガイド溝５，５，５にガイドされ、引違状に配される３枚以上の戸パネル１０，１０Ａ，１０Ｂを備えている。また、これら戸パネル１０，１０Ａ，１０Ｂの下端部には、下レール８を走行する戸車１３，１３，１３がそれぞれに設けられている。つまり、これら戸パネル１０，１０Ａ，１０Ｂは、下レール８上をスライド自在に下荷重型で建て付けられる構成とされている。また、これら戸パネル１０，１０Ａ，１０Ｂは、いわゆる連動引戸ではなく、それぞれが個別に下レール８上をスライド自在に配される構成とされている。
本実施形態では、引戸装置１は、戸厚方向一方側に配される第１戸パネル１０と、中央側戸パネルとしての第２戸パネル１０Ａと、戸厚方向他方側に配される第３戸パネル１０Ｂと、からなる３枚の戸パネル１０，１０Ａ，１０Ｂを備えた構成とされている。
【００１１】
また、これら戸パネル１０，１０Ａ，１０Ｂは、住居等の建物の壁体を貫通するように設けられた開口部に配設され開口枠（戸枠）を構成する上枠３及び両側の縦枠６，７に建て付けられる。
上枠３には、図２に示すように、各戸パネル１０，１０Ａ，１０Ｂの上端部１４，１４，１４を受け入れる３本のガイド溝５，５，５が戸幅方向に延びるように設けられている。これらガイド溝５，５，５は、上枠３の見込方向（戸厚方向に沿う方向）に間隔を空けて平行状に設けられている。また、これらガイド溝５，５，５は、下方側に向けて開口するように設けられ、溝長手方向に見て略矩形溝状とされている。また、本実施形態では、これらガイド溝５，５，５を、上枠３に設けられた凹溝に埋込状に配される金属製や硬質樹脂製のガイド溝部材４に設けた構成としている。なお、このような態様に代えて、ガイド溝５，５，５を上枠３に直接的に設けた構成としてもよい。
【００１２】
両側の縦枠６，７は、それぞれの上端部が上枠３の長手方向の各端部に接合される構成とされている。本実施形態では、一方の縦枠としての第１縦枠６の見込方向一方側部位の内側面に、閉鎖位置とされた第１戸パネル１０の戸幅方向一端部（戸先側端部）を受け入れる戸じゃくり溝を長手方向に延びるように設けた構成としている。また、他方の縦枠としての第２縦枠７の見込方向他方側部位の内側面に、閉鎖位置とされた第３戸パネル１０Ｂの戸幅方向一端部（戸先側端部）を受け入れる戸じゃくり溝を長手方向に延びるように設けた構成としている。なお、このように各縦枠６，７に、対応する１枚の戸パネル１０，１０Ｂの戸先側端部を受け入れる戸じゃくり溝を設けた態様に代えて、３枚の戸パネル１０，１０Ａ，１０Ｂの戸幅方向の端部を受け入れる幅広な戸じゃくり溝を設けた態様等としてもよい。また、図例では、これら縦枠６，７及び上枠３を、固定枠状とした例を示しているが、額縁状部材を備えたいわゆるケーシング枠としてもよい。
【００１３】
下レール８は、これら縦枠６，７の下端部間に跨るように配設される。この下レール８には、各戸パネル１０，１０Ａ，１０Ｂの戸車１３，１３，１３が走行自在に係合する３本の戸車溝９，９，９が戸幅方向に延びるように設けられている。これら戸車溝９，９，９は、下レール８の見込方向に間隔を空けて平行状に設けられている。また、これら戸車溝９，９，９は、上方側に向けて開口するように設けられている。
また、本実施形態では、この下レール８を、床２に埋込状に設けられる埋込レールとしている。なお、このような態様に代えて、下レール８を、床２上に直付状に設けられる直付レールとしてもよい。また、当該引戸装置１が下レール８を含んで開口枠３，６，７を備えた構成としてもよい。
【００１４】
各戸パネル１０，１０Ａ，１０Ｂは、上下方向に長尺状の略矩形平板状とされている。これら戸パネル１０，１０Ａ，１０Ｂの高さ寸法は、戸車１３，１３，１３を下レール８の戸車溝９，９，９に係合させた状態で、上端部１４，１４，１４を上枠３のガイド溝５，５，５に挿入可能なように、開口高に応じて適宜の寸法とされている。また、これら戸パネル１０，１０Ａ，１０Ｂの高さ寸法は、互いに略同寸法とされている。本実施形態では、上枠３のガイド溝５，５，５に挿入される各戸パネル１０，１０Ａ，１０Ｂの上端部１４，１４，１４を、各戸パネル１０，１０Ａ，１０Ｂの下方側部位と同厚さとしている。つまり、上枠３のガイド溝５，５，５の溝幅寸法を、各戸パネル１０，１０Ａ，１０Ｂの戸厚寸法に応じた寸法としている。なお、このような態様に代えて、各戸パネル１０，１０Ａ，１０Ｂの上端部１４，１４，１４を、各戸パネル１０，１０Ａ，１０Ｂの下方側部位よりも厚さが小とされた突片状等としてもよい。この場合は、上枠３のガイド溝５，５，５の溝幅を適宜、変形するようにすればよい。
【００１５】
また、これら戸パネル１０，１０Ａ，１０Ｂの戸厚寸法は、例えば、２０ｍｍ〜４０ｍｍ程度とされており、互いに略同寸法とされている。また、これら戸パネル１０，１０Ａ，１０Ｂの戸幅寸法は、閉鎖位置とされた各戸パネル１０，１０Ａ，１０Ｂによって開口の閉鎖が可能なように開口幅に応じて適宜の寸法とされ、互いに略同寸法とされている。これら戸パネル１０，１０Ａ，１０Ｂの戸幅寸法は、高さ寸法に比して小とされており、例えば、高さ寸法の１／３〜１／６程度とされたものでもよく、また、３００ｍｍ〜６００ｍｍ程度とされたものでもよい。また、図例では、これら戸パネル１０，１０Ａ，１０Ｂに、比較的に大きな透光部を設けた例を示しているが、このような透光部を設けていない構成としてもよく、これら戸パネル１０，１０Ａ，１０Ｂの外観デザインとしては、その他、種々の変形が可能である。
【００１６】
また、各戸パネル１０，１０Ａ，１０Ｂの戸幅方向一端部となる戸先側端部には、引手１１，１１，１１が設けられている。本実施形態では、各戸パネル１０，１０Ａ，１０Ｂの戸先側端部の戸厚方向両側に、戸厚方向外方側に向けて開口するように引手凹部が設けられた掘込状の引手１１，１１をそれぞれに設けた構成としている。これら戸厚方向両側の引手１１，１１は、戸厚方向に見て互いに重なり合う位置となるように各戸パネル１０，１０Ａ，１０Ｂの戸先側端部の高さ方向途中部位に設けられている。図例では、これら引手１１，１１を、各戸パネル１０，１０Ａ，１０Ｂに戸厚方向に開口するように設けられた凹所に嵌め込まれる引手部材とした例を示している。また、これら引手１１，１１を、戸厚方向に見て上下方向に長尺状の引手凹部が設けられたものとしている。なお、引手１１，１１としては、図例のようなものに限られず、その他、種々の変形が可能であり、例えば、各戸パネル１０，１０Ａ，１０Ｂに直接的に設けられたもの等でもよい。また、図例では、第２戸パネル１０Ａを、その引手１１，１１が設けられた側となる戸先側端部が第１戸パネル１０と同様、第１縦枠６側に位置するように建て付けた例を示している。
【００１７】
また、これら戸パネル１０，１０Ａ，１０Ｂの下端部には、戸厚方向に沿う軸回りに戸車１３，１３，１３を回転自在に保持する戸車保持部１２，１２，１２が設けられている。また、各戸パネル１０，１０Ａ，１０Ｂの戸幅方向両端面において露出させるように戸幅方向両端部のそれぞれに戸車保持部１２，１２，１２，１２，１２，１２を設けた構成としている。また、これら戸パネル１０，１０Ａ，１０Ｂのうちの少なくとも第２戸パネル１０Ａの戸車保持部１２，１２には、高さ調整部１２ａ，１２ａが設けられている。この高さ調整部１２ａは、図２及び図４に示すように、第２戸パネル１０Ａ（本実施形態では、全戸パネル１０，１０Ａ，１０Ｂ）の戸幅方向の端面において露出するように設けられ、ドライバー等の治具を用いて操作が可能とされている。また、この高さ調整部１２ａは、治具によって操作されることで、各戸パネル１０，１０Ａ，１０Ｂに対して戸車１３を相対的に上下動させ、各戸パネル１０，１０Ａ，１０Ｂの高さ調整が可能とされている。つまり、図４に示すように、各戸パネル１０，１０Ａ，１０Ｂが建て付けられた状態で、高さ調整部１２ａを操作すれば、下レール８の戸車溝９に係合した戸車１３に対して各戸パネル１０，１０Ａ，１０Ｂが上下に変位する構成とされている。
【００１８】
また、これら戸パネル１０，１０Ａ，１０Ｂは、図１（ａ）、（ｂ）に示すように、第１戸パネル１０の戸先側端部が第１縦枠６に当接され、第３戸パネル１０Ｂの戸先側端部が第２縦枠７に当接され、戸幅方向に横並び状に配されて閉鎖位置とされる。また、この閉鎖位置では、戸厚方向に隣り合う戸パネル１０，１０Ａ，１０Ｂの戸幅方向の端部同士が戸厚方向に見て互いに重なり合うように配される。つまり、閉鎖位置では、第１戸パネル１０の戸尻側端部と第２戸パネル１０Ａの戸幅方向一端部（戸先側端部）とが戸厚方向に見て互いに重なり合うように配される。また、閉鎖位置では、第３戸パネル１０Ｂの戸尻側端部と第２戸パネル１０Ａの戸幅方向他端部（戸尻側端部）とが戸厚方向に見て互いに重なり合うように配される。
【００１９】
一方、これら戸パネル１０，１０Ａ，１０Ｂは、図１（ｃ）に示すように、一方の縦枠７（図例では、第２縦枠７）にそれぞれの戸幅方向の端部を当接させるように戸厚方向に見て互いに重なり合うように配されて開放位置（全開位置）とされる。この全開位置では、各戸パネル１０，１０Ａ，１０Ｂの他方の縦枠６（図例では、第１縦枠６）側に出入口が形成される。なお、３枚の戸パネル１０，１０Ａ，１０Ｂを互いに重なり合わせた状態で、第２縦枠７側に出入口が形成されるように第１縦枠６側に位置させたり、両縦枠６，７側を開放させるように両縦枠６，７間の途中部位に位置させたりすることも可能である。
【００２０】
上記のように第１戸パネル１０及び第３戸パネル１０Ｂは、対応する各縦枠６，７に当接されて閉鎖位置に位置付け可能とされている。一方、第２戸パネル１０Ａは、閉鎖位置において両縦枠６，７間の途中部位となるため、閉鎖位置に位置付け難くなることが考えられる。当該引戸装置１は、図３に示すように、この第２戸パネル１０Ａを閉鎖位置に位置付け可能とする機構を構成する転動体１７及び受け部材２０を備えている。転動体１７は、第２戸パネル１０Ａの上端部１４に上方側に向けて付勢された状態で突出するように設けられ、かつガイド溝５の溝底５ａを転動する構成とされている。また、この転動体１７は、第２戸パネル１０Ａの戸幅方向一端部としての戸先側端部に設けられた引手１１，１１の概ね直上となる上端部１４に位置するように設けられている。受け部材２０は、転動体１７が係合するように上枠３に配され、戸幅方向に沿って両方向に移動する第２戸パネル１０Ａの移動を抑制して第２戸パネル１０Ａを閉鎖位置に位置付ける構成とされている。
【００２１】
受け部材２０は、図１（ａ）及び図３（ｂ）に示すように、閉鎖位置の第２戸パネル１０Ａの引手１１，１１の概ね直上に位置するように設けられた転動体１７が係合する位置となるように上枠３に設けられている。
また、受け部材２０には、転動体１７の上側部位を受け入れる受凹部２１が下方側に向けて開口するように設けられている。
この受凹部２１は、下方側に向く底壁２２と、戸幅方向に沿う方向に向く戸幅方向両側の内壁２３，２４と、によって区画されている。この受凹部２１の上下方向に沿う深さ寸法及び戸幅方向に沿う寸法は、当該受凹部２１に転動体１７の上側部位が挿入されて第２戸パネル１０Ａの移動の抑制が可能なように適宜の寸法とされている。
また、この受け部材２０は、図２に示すように、第２戸パネル１０Ａの上端部１４をガイドする上枠３の中央側に設けられたガイド溝５の溝底５ａ側に配される構成とされている。
【００２２】
また、この受け部材２０は、図２及び図３に示すように、受凹部２１が溝底５ａにおいて開口するように上枠３に埋込状に設けられている。図例では、この受け部材２０を、ガイド溝５の溝幅方向中央側に位置するように設けた例を示している。また、ガイド溝５を区画する上枠３のガイド溝部材４には、この受け部材２０の受凹部２１を区画する部位が挿通される挿通孔４ａが上下方向に貫通するように設けられている。また、上枠３の凹溝の溝底には、この受け部材２０の受凹部２１を区画する部位を受け入れる受凹所３ａが下方側に向けて開口するように設けられいる。
また、受け部材２０は、ガイド溝５の溝底５ａに沿うように配される固定片部を、受凹部２１の戸幅方向両側に連なるように設けた構成とされている。この受け部材２０は、これら両側の固定片部を介してねじ等の止具によってガイド溝５の溝底５ａに固定されるものでもよい。また、両側の固定片部に、上下方向に貫通するように止具挿通孔を設けた構成としてもよい。また、図例では、固定片部を、ガイド溝５の溝底５ａ上に沿わせるように設けた例を示しているが、ガイド溝５の溝底５ａに、固定片部を受け入れる凹段部を設けた構成等としてもよい。また、図例では、この受け部材２０を、両側の固定片部及び受凹部２１を区画する部位を形成するように薄板状部材を屈曲させたような構成とした例を示している。
【００２３】
また、本実施形態では、この受凹部２１の戸幅方向に沿う方向の両側を区画する内壁２３，２４のうちの一方の内壁としての第１内壁２３を、転動体１７の外周面に応じた凹湾曲面状とし、他方の内壁としての第２内壁２４を垂直面状としている。第１内壁２３は、戸厚方向に見て、戸厚方向に見た転動体１７の外周面に応じた円弧状とされ、底壁２２に連なるように設けられている。第２内壁２４は、下方側に向く底壁２２に対して略直交状となるように設けられている。また、受け部材２０を、第１内壁２３が閉鎖位置の第２戸パネル１０Ａの戸先側に向き、第２内壁２４が閉鎖位置の第２戸パネル１０Ａの戸尻側に向くように上枠３に設けた構成としている。つまり、受け部材２０を、第１内壁２３が第２戸パネル１０Ａの戸先側端面が対向する側となる第１縦枠６側に向き、第２内壁２４が第２戸パネル１０Ａの戸尻側端面が対向する側となる第２縦枠７側に向くように上枠３に設けた構成としている。
【００２４】
第２戸パネル１０Ａの上端部１４には、図２及び図３に示すように、転動体１７を収容するケーシング１６を有した移動抑制部材１５が埋込状に設けられている。本実施形態では、転動体１７を、戸厚方向に沿うローラー軸１８ｂ回りに回転自在とされたローラー状としている。ケーシング１６には、この転動体１７の上側部位を概ね上下方向に出没自在とする開口が上方側に向けて開口するように設けられている。また、第２戸パネル１０Ａの上端部１４には、このケーシング１６を受け入れる収容凹所１４ａが上端面において上方側に向けて開口するように設けられている。
また、このケーシング１６内には、転動体１７を回転自在に保持する保持部１８と、転動体１７を上方側に向けて付勢する付勢部材１９と、が設けられている。保持部１８は、一端部がケーシング１６に対して戸厚方向に沿う保持軸１８ａ回りに回転自在に保持され、他端部に付勢部材１９によって上方側に向けて付勢される被付勢部１８ｃを設けた保持アーム状とされている。また、この保持部１８の途中部位には、転動体１７のローラー軸１８ｂが設けられている。この保持部１８は、転動体１７を軸方向両側から挟むように軸方向両側に対状または分岐状に設けられたものでもよい。
【００２５】
図例では、保持部１８を、ケーシング１６の戸先側部位に設けられた保持軸１８ａ側の一端部から斜め上方側となる戸尻側に向けて延びるように設けられたものとしている。また、この保持部１８の被付勢部１８ｃが付勢部材１９によって上方側に向けて付勢され、これにより、この保持部１８の途中部位のローラー軸１８ｂ回りに回転自在とされた転動体１７が上方側に向けて付勢される構成としている。また、図例では、付勢部材１９を、保持部１８の被付勢部１８ｃを押し上げるように付勢する上下方向に伸長方向を沿わせた圧縮コイルばねとした例を示している。なお、付勢部材１９としては、このような圧縮コイルばねに限られず、引張コイルばねやトーションばね、板ばね等の他のばね部材を採用するようにしてもよく、その他、種々の変形が可能である。
【００２６】
また、ケーシング１６には、上限位置とされた転動体１７の上方側への移動を抑止する適宜の抑止部が設けられている。この転動体１７の上限位置は、ローラー軸１８ｂがケーシング１６外に露出しないような位置としてもよい。
また、転動体１７は、第２戸パネル１０Ａの戸先側端部における引手１１，１１の戸先側縁から戸尻側縁までの戸幅方向の範囲内に少なくとも一部が位置するように配されている。図例では、転動体１７を、その戸先側の外周側部位の一部が上記範囲内に位置するように設けた例を示しているが、戸先側の略半部が上記範囲内に位置するように設けたり、略全体が上記範囲内に位置するように設けたりしてもよい。
図３（ａ）、（ｂ）に示すように、この転動体１７が受け部材２０の受凹部２１に嵌まり込むようにして係合し、第２戸パネル１０Ａの戸幅方向両方向への移動が抑制され、第２戸パネル１０Ａが閉鎖位置に位置付けられる。なお、図例では、第２縦枠７側から移動する第２戸パネル１０Ａを閉鎖位置において停止させ得る構成とした例を示しているが、第１縦枠６側から移動する第２戸パネル１０Ａを閉鎖位置において停止させることも可能である。
【００２７】
また、本実施形態では、第２戸パネル１０Ａが建て付けられた状態で、受け部材２０に対する転動体１７の係合力を調整可能とする調整機構１２ａを備えた構成としている。本実施形態では、この調整機構を、上記した戸車保持部１２の高さ調整部１２ａとしている。つまり、高さ調整部１２ａを調整すれば、戸車１３に対して第２戸パネル１０Ａが上下動し、これにより、受け部材２０に対する転動体１７の係合力の調整が可能とされている。つまりは、図４に示すように、第２戸パネル１０Ａを下降させるように高さ調整部１２ａを調整すれば、転動体１７を上方側に付勢する付勢部材１９の復元力が低下し、受け部材２０に対する転動体１７の係合力が低下する。一方、第２戸パネル１０Ａを上昇させるように高さ調整部１２ａを調整すれば、転動体１７を上方側に付勢する付勢部材１９の復元力が上昇し、つまりは、さらに蓄勢され、受け部材２０に対する転動体１７の係合力が上昇する。
【００２８】
なお、受け部材２０に対する転動体１７の係合力を調整可能とする調整機構としては、このような高さ調整部１２ａに限られず、その他、種々の変形が可能である。例えば、転動体１７を保持するケーシング１６を第２戸パネル１０Ａの戸先側端面において露出させるように設けた構成とし、露出させた部位に、転動体１７を付勢する付勢部材１９の付勢力を調整するための操作部を設けた構成等としてもよい。
また、本実施形態では、第２戸パネル１０Ａを閉鎖位置において位置付ける転動体１７（移動抑制部材１５）及び受け部材２０を設けた例を示しているが、他の戸パネル１０，１０Ｂを閉鎖位置において位置付ける機構として更にこれらを設けた構成としてもよい。また、各戸パネル１０，１０Ａ，１０Ｂを全開位置において保持する適宜のキャッチ機構等を更に設けた構成等としてもよい。
【００２９】
本実施形態に係る引戸装置１は、上述のような構成としたことで、３枚以上の戸パネル１０，１０Ａ，１０Ｂのうちの中央側戸パネル（第２戸パネル）１０Ａを閉鎖位置に容易に位置付け可能でありながらも、第２戸パネル１０Ａを円滑に移動させることができる。
つまり、３枚以上の戸パネル１０，１０Ａ，１０Ｂのうちの第２戸パネル１０Ａの上端部１４に、上枠３のガイド溝５の溝底５ａを転動する転動体１７を上方側に向けて付勢された状態で突出するように設けた構成としている。また、この転動体１７が係合するように上枠３に配され、戸幅方向に沿って両方向に移動する第２戸パネル１０Ａの移動を抑制して第２戸パネル１０Ａを閉鎖位置に位置付ける受け部材２０を備えた構成としている。従って、戸幅方向に沿って両方向に移動する第２戸パネル１０Ａを、閉鎖位置に容易に位置付けることができ、閉鎖位置において隣り合う戸パネル１０，１０Ｂとの間に戸厚方向に見て隙間が生じるようなことを抑制することができる。
【００３０】
また、上方側に向けて付勢された転動体１７を、第２戸パネル１０Ａの上端部１４に設けた構成としているので、上枠３に設けた場合と比べて、上枠３の上下方向に沿う厚さ寸法（見付寸法）を小さくすることができる。つまりは、上方側に向けて付勢される転動体１７やこれを付勢する付勢部材１９を埋込状に設けるために上枠３の見付寸法を比較的に大きくする必要性がなく、上枠３の薄型化を図ることができる。また、受け部材２０に係合される転動体１７が上枠３のガイド溝５の溝底５ａを転動するので、閉鎖位置以外の箇所において転動体１７が第２戸パネル１０Ａを移動させる際の抵抗となり難く、第２戸パネル１０Ａを円滑に移動させることができる。
また、この転動体１７を、第２戸パネル１０Ａの戸幅方向一端部（戸先側端部）に設けられた引手１１，１１の概ね直上となる上端部１４に位置するように設けた構成としている。従って、戸幅方向で引手１１，１１から離間した位置の上方側に転動体１７を設けたものと比べて、引手１１，１１に手を掛けて閉鎖位置から第２戸パネル１０Ａを移動させる際における移動方向前方側の浮き上がり等を抑制することができ、円滑に移動させることができる。これにより、特に戸幅寸法が小さくなることから移動させる際にがたつき易い傾向がある３枚以上の戸パネル１０，１０Ａ，１０Ｂを備えた引戸装置１として好適なものとなる。
【００３１】
また、本実施形態では、受け部材２０の受凹部２１の戸幅方向に沿う方向の両側を区画する内壁２３，２４のうちの一方を転動体１７の外周面に応じた凹湾曲面状とし、他方を垂直面状としている。従って、受凹部２１の一方の内壁（第１内壁）２３に向けて転動体１７を移動させる際には、受け部材２０に対する転動体１７の係合解除が比較的に円滑に可能となる。一方、受凹部２１の他方の内壁（第２内壁）２４に向けて転動体１７を移動させる際には、比較的に強固に転動体１７の移動を抑制することができる。これにより、上記した例のように、受凹部２１の凹湾曲面状とされた第１内壁２３が閉鎖位置の第２戸パネル１０Ａの戸先側に向くように受け部材２０を配設すれば、閉鎖位置とされた第２戸パネル１０Ａを開放側に円滑に移動させることができる。また、閉鎖位置に移動する第２戸パネル１０Ａを閉鎖位置において効果的に停止させることができる。
【００３２】
また、本実施形態では、第２戸パネル１０Ａが建て付けられた状態で、受け部材２０に対する転動体１７の係合力を調整可能とする調整機構（高さ調整部）１２ａを備えた構成としている。従って、受け部材２０に対する転動体１７の係合力を調整することで、第２戸パネル１０Ａを比較的に強固に閉鎖位置において停止させたり、または、閉鎖位置の第２戸パネル１０Ａを移動させる際に要する操作力を小さくしたりすることができる。また、このような調整を、第２戸パネル１０Ａを建て付けた状態で行えるので、第２戸パネル１０Ａを戸枠から取り外して行う必要があるものと比べて、調整する際の作業性を向上させることができる。なお、このような態様に代えて、受け部材２０に対する転動体１７の係合力の調整が第２戸パネル１０Ａを戸枠から取り外した状態で可能とされた調整機構を設けた構成としてもよく、さらには、このような調整機構を設けていない構成としてもよい。
【００３３】
次に、本発明に係る他の実施形態について、図面を参照しながら説明する。
図５は、第２実施形態に係る引戸装置の一例を模式的に示す図である。
なお、上記第１実施形態との相違点について主に説明し、同様の構成については、同一の符号を付し、その説明を省略または簡略に説明する。
【００３４】
本実施形態に係る引戸装置１Ａは、受け部材２０Ａの構成が上記第１実施形態とは主に異なる。本実施形態では、受け部材２０Ａの受凹部２１Ａの戸幅方向に沿う方向の両側を区画する両内壁２３，２４Ａをそれぞれ転動体１７の外周面に応じた凹湾曲面状としている。つまり、本実施形態では、受凹部２１Ａの第１内壁２３及び第２内壁２４Ａの両方を、戸厚方向に見て、戸厚方向に見た転動体１７の外周面に応じた円弧状とし、底壁２２に連なるように設けた構成としている。
このような構成とされた本実施形態に係る引戸装置１Ａにおいても、上記第１実施形態と概ね同様の効果を奏する。また、受凹部２１Ａの両内壁２３，２４Ａを凹湾曲面状としているので、受凹部２１Ａの戸幅方向に沿う方向のいずれの内壁２３，２４Ａに向けて転動体１７を移動させる際にも、受け部材２０Ａに対する転動体１７の係合解除が比較的に円滑に可能となる。これにより、閉鎖位置とされた第２戸パネル１０Ａを開放側及び閉鎖方向先側のいずれ側に移動させる際にも比較的に円滑に移動させることができる。
【００３５】
なお、上記各実施形態では、３枚の戸パネル１０，１０Ａ，１０Ｂを備えた構成としたが、４枚以上の戸パネルを備えた構成としてもよい。この場合は、戸厚方向両外方側の戸パネル１０，１０Ｂ以外の中央側戸パネル１０Ａの上端部１４に転動体１７（移動抑制部材１５）を設け、上枠３の適宜の位置に配される受け部材２０を備えた構成とすればよい。
また、上記した例では、上枠３の上側に垂れ壁部を設けた例を示しているが、上枠３を天井に直付状に設けたり、天井に埋込状に設けたりしてもよい。また、両側の縦枠６，７を設けずに、無枠状としてもよい。
【００３６】
また、中央側戸パネル１０Ａの上端部１４に設けられた転動体１７が係合する受け部材２０，２０Ａとしては、上記のような受凹部２１，２１Ａがガイド溝５の溝底５ａに埋込状に設けられるものに限らない。受け部材２０，２０Ａとしては、例えば、転動体１７を戸幅方向両側で捕捉するように、溝底５ａから突出する一対の突起部を有したもの等としてもよく、その他、種々の変形が可能である。
また、中央側戸パネル１０Ａの上端部１４に設けられる転動体１７としては、上記のような戸厚方向に沿うローラー軸１８ｂ回りに回転自在とされたローラー（車輪）状のものに限られず、ボール（球体）状のものでもよく、その他、種々の変形が可能である。
【符号の説明】
【００３７】
１，１Ａ      引戸装置
１０          第１戸パネル（戸パネル）
１０Ａ        第２戸パネル（中央側戸パネル）
１０Ｂ        第３戸パネル（戸パネル）
１１          引手
１２ａ        高さ調整部（調整機構）
１３          戸車
１４          上端部
１７          転動体
２０，２０Ａ  受け部材
２１，２１Ａ  受凹部
２３          第１内壁
２４，２４Ａ  第２内壁
３            上枠
５            ガイド溝
５ａ          溝底
８            下レール
【図１】
2018016945.tif 000003
【図２】
2018016945.tif 000004
【図３】
2018016945.tif 000005
【図４】
2018016945.tif 000006
【図５】
2018016945.tif 000007